(57)【要約】【課題】動画像ファイル内の所望するシーン検索において、効率的なシーン検索を可能とする。【解決手段】複数の動画像ファイルを複数画面で再生する再生画面Ｕ２００は、再生画面終了ボタンＵ２１０と、サブコントロールＵ２２０と、メインコントロール表示領域Ｕ２５０とを持つ。サブコントロールＵ２２０は、該再生画面に対して設定された再生幅を持つスライダを有し、再生画面ごとに存在し、それぞれに再生位置を示すつまみＵ２７０、Ｕ２７５を持つ。メインコントロールＵ２５０は、１つの再生幅を持つスライダを有し、つまみＵ２８０、Ｕ２８５、Ｕ２９０は各再生画面での再生位置を示すとともに相互に連動している。また、メインコントロールＵ２５０内に表示中のつまみＵ２８０、Ｕ２８５、Ｕ２９０と、サブコントロールＵ２２０内のつまみＵ２４０、Ｕ２７０、Ｕ２７５とで対応するものは相互に連動する。【選択図】図７
2010213125.tif 000002
【特許請求の範囲】
【請求項１】
動画像ファイルを複数画面で再生する画像再生装置であって、
前記複数画面の画面ごとに設定された時間幅で、前記複数画面の各画面での再生位置を示す操作部を持つ第１のユーザインタフェイスを表示する第１のユーザインタフェイス手段と、
前記複数画面に対して設定された１つの時間幅で、前記複数画面の各画面での再生位置を示すとともに相互に連動させた複数の操作部を持つ第２のユーザインタフェイスを表示する第２のユーザインタフェイス手段と、
前記第１のユーザインタフェイスの操作部の操作に応じて、それに対応する画面での再生位置を決定する第１の決定手段と、
前記第２のユーザインタフェイスの操作部の操作に応じて、前記複数画面での再生位置を決定する第２の決定手段と、
前記第１のユーザインタフェイスの操作部と、前記第２のユーザインタフェイスの操作部とで対応するものを相互に連動させる連動手段とを備えたことを特徴とする画像再生装置。
【請求項２】
複数の動画像ファイルを複数画面で再生することを特徴とする請求項１に記載の画像再生装置。
【請求項３】
同一の動画像ファイルの再生位置をそれぞれ異ならしめて複数画面で分割再生することを特徴とする請求項１に記載の画像再生装置。
【請求項４】
前記第１のユーザインタフェイス及び前記第２のユーザインタフェイスは、時間幅を表わす領域と、前記領域上で再生位置を示すつまみとからなるスライダにより構成されることを特徴とする請求項１乃至３のいずれか１項に記載の画像再生装置。
【請求項５】
前記第１のユーザインタフェイスの各時間幅を同一にすることを特徴とする請求項１乃至４のいずれか１項に記載の画像再生装置。
【請求項６】
前記第１のユーザインタフェイスの各時間幅を時間軸を同一にすることを特徴とする請求項１乃至４のいずれか１項に記載の画像再生装置。
【請求項７】
複数の動画像ファイルを複数画面で再生中の画像において、再生位置が最後尾に達した場合には、繰り返し再生することを特徴とする請求項２に記載の画像再生装置。
【請求項８】
複数の動画像ファイルを複数画面で再生中の画像において、再生位置が最後尾に達した場合には、別の画像に変更して再生することを特徴とする請求項２に記載の画像再生装置。
【請求項９】
同一の動画像ファイルの再生位置をそれぞれ異ならしめて複数画面で分割再生するときに、各画面の再生開始位置を該１つの動画像ファイルの先頭とすることを特徴とする請求項３に記載の画像再生装置。
【請求項１０】
同一の動画像ファイルの再生位置をそれぞれ異ならしめて複数画面で分割再生するときに、各画面の再生開始位置を全体時間を分割数で等分割した位置とすることを特徴とする請求項３に記載の画像再生装置。
【請求項１１】
前記各画面での再生位置が前記分割された時間幅を超えないようにすることを特徴とする請求項１０に記載の画像再生装置。
【請求項１２】
同一の動画像ファイルの再生位置をそれぞれ異ならしめて複数画面で分割再生するときに、各画面の再生開始位置をユーザが設定した位置とすることを特徴とする請求項３に記載の画像再生装置。
【請求項１３】
同一の動画像ファイルの再生位置をそれぞれ異ならしめて複数画面で分割再生するときに、各画面の再生開始位置をシーン切り替え位置とすることを特徴とする請求項３に記載の画像再生装置。
【請求項１４】
前記各画面での再生位置を該１つの動画像ファイル全体の任意の位置に移動可能としたことを特徴とする請求項９乃至１３のいずれか１項に記載の画像再生装置。
【請求項１５】
一の画面での再生位置が他の画面での再生位置を越えないようにすることを特徴とする請求項９乃至１３のいずれか１項に記載の画像再生装置。
【請求項１６】
前記第１のユーザインタフェイスと前記第２のユーザインタフェイスとを同時に表示することを特徴とする請求項１乃至１５のいずれか１項に記載の画像再生装置。
【請求項１７】
前記第１のユーザインタフェイスと前記第２のユーザインタフェイスとの表示及び非表示を切り替え可能としたことを特徴とする請求項１乃至１５のいずれか１項に記載の画像再生装置。
【請求項１８】
動画像ファイルを複数画面で再生する画像再生装置による画像再生方法であって、
前記複数画面の画面ごとに設定された時間幅で、前記複数画面の各画面での再生位置を示す操作部を持つ第１のユーザインタフェイスを表示する手順と、
前記複数画面に対して設定された１つの時間幅で、前記複数画面の各画面での再生位置を示すとともに相互に連動させた複数の操作部を持つ第２のユーザインタフェイスを表示する手順と、
前記第１のユーザインタフェイスの操作部の操作に応じて、それに対応する画面での再生位置を決定する手順と、
前記第２のユーザインタフェイスの操作部の操作に応じて、前記複数画面での再生位置を決定する手順と、
前記第１のユーザインタフェイスの操作部と、前記第２のユーザインタフェイスの操作部とで対応するものを相互に連動させる手順とを有することを特徴とする画像再生方法。
【請求項１９】
動画像ファイルを複数画面で再生する画像再生装置としてコンピュータを機能させるためのプログラムであって、
前記複数画面の画面ごとに設定された時間幅で、前記複数画面の各画面での再生位置を示す操作部を持つ第１のユーザインタフェイスを表示する第１のユーザインタフェイス手段と、
前記複数画面に対して設定された１つの時間幅で、前記複数画面の各画面での再生位置を示すとともに相互に連動させた複数の操作部を持つ第２のユーザインタフェイスを表示する第２のユーザインタフェイス手段と、
前記第１のユーザインタフェイスの操作部の操作に応じて、それに対応する画面での再生位置を決定する第１の決定手段と、
前記第２のユーザインタフェイスの操作部の操作に応じて、前記複数画面での再生位置を決定する第２の決定手段と、
前記第１のユーザインタフェイスの操作部と、前記第２のユーザインタフェイスの操作部とで対応するものを相互に連動させる連動手段としてコンピュータを機能させるためのプログラム。
【発明の詳細な説明】
【技術分野】
【０００１】
本発明は、複数の動画像ファイル又は１つの動画像ファイルを、同一スクリーンにて複数画面で再生する画像再生装置、方法及びプログラムに関する。より詳しくは、個々の画面の再生位置を制御するコントローラと全画面の再生位置を制御するコントローラとを持つ画像再生技術に関する。
【背景技術】
【０００２】
近年、デジタルカメラやデジタルビデオの普及に伴い、デジタルカメラやデジタルビデオにて撮影した複数の画像の一覧から、１つの画像ごとに再生画面を表示し、再生画像を閲覧する機会が増えてきている。
【０００３】
現在、動画像ファイル内に存在する所望するシーンを検索する場合には、まず、保存されている縮小画像の一覧を表示する。一覧表示された画像の中から、見当を付けて１つの画像を再生して、所望するシーンが含まれているか確認する。再生中の画像に、所望するシーンがないと判断した場合には、再生画面を閉じて、縮小画像一覧画面に戻り、次に見当を付けた画像を再生して確認する。このように、所望するシーンが見つかるまで、画像の再生を繰り返してのシーン検索が一般的となっている。
【０００４】
このような状況において、所望する複数の画像を同時に再生して、動画像ファイル内のシーンを閲覧できないという問題があり、非常に手間がかかっていた。この問題を解決するために、特許文献１では、３つの時刻の画像を同時に表示する動画再生技術が開示されている。また、特許文献２では、複数の動画像ファイルを同時に再生する動画再生技術が開示されている。
【先行技術文献】
【特許文献】
【０００５】
【特許文献１】特許第３５６５４４５号公報
【特許文献２】特開平１０-９８６６７号公報
【発明の概要】
【発明が解決しようとする課題】
【０００６】
しかしながら、上記特許文献１では、画像の再生範囲を設定する必要があり、所望するシーンの位置が判断できない場合は、どの時刻を同時再生するのが良いか戸惑う場合があった。
【０００７】
また、上記特許文献２では、複数画像の同時操作のため、同様のシーンが複数画像の任意の位置に存在する場合には、同時に表示できないため、１画像ごとに再生を繰り返す必要があった。
【０００８】
つまり、従来例では、動画像ファイル内の所望するシーン検索において、効率的なシーン検索ができないという問題があった。
【０００９】
本発明は以上のような状況に鑑みてなされたものであり、動画像ファイル内の所望するシーン検索において、効率的なシーン検索を可能とすることを目的とする。
【課題を解決するための手段】
【００１０】
本発明の画像再生装置は、動画像ファイルを複数画面で再生する画像再生装置であって、前記複数画面の画面ごとに設定された時間幅で、前記複数画面の各画面での再生位置を示す操作部を持つ第１のユーザインタフェイスを表示する第１のユーザインタフェイス手段と、前記複数画面に対して設定された１つの時間幅で、前記複数画面の各画面での再生位置を示すとともに相互に連動させた複数の操作部を持つ第２のユーザインタフェイスを表示する第２のユーザインタフェイス手段と、前記第１のユーザインタフェイスの操作部の操作に応じて、それに対応する画面での再生位置を決定する第１の決定手段と、前記第２のユーザインタフェイスの操作部の操作に応じて、前記複数画面での再生位置を決定する第２の決定手段と、前記第１のユーザインタフェイスの操作部と、前記第２のユーザインタフェイスの操作部とで対応するものを相互に連動させる連動手段とを備えたことを特徴とする。
【発明の効果】
【００１１】
本発明によれば、動画像ファイル内の所望するシーン検索において、効率的なシーン検索が可能となる。
【図面の簡単な説明】
【００１２】
【図１】第１の実施形態に係る画像再生装置の構成を示すブロック図である。
【図２】第１の実施形態に係る画像再生装置により実行される画像処理プログラムの手順を示すフローチャートである。
【図３】再生画面操作処理の手順を示すフローチャートである。
【図４】メインコントロール操作処理の手順を示すフローチャートである。
【図５】初期画面を示す図である。
【図６】画像選択画面を示す図である。
【図７】再生画面を示す図である。
【図８】メインコントロール操作後の再生画面を示す図である。
【図９】サブコントロール操作後の再生画面を示す図である。
【図１０】メインコントロール再操作後の再生画面を示す図である。
【図１１】第２の実施形態に係る画像再生装置により実行される画像処理プログラムの手順を示すフローチャートである。
【図１２】初期画面を示す図である。
【図１３】分割再生画面を示す図である。
【図１４】サブコントロール操作後の分割再生画面を示す図である。
【図１５】サブコントロール操作後の分割再生画面を示す図である。
【図１６】メインコントロール操作後の分割再生画面を示す図である。
【発明を実施するための形態】
【００１３】
以下、添付図面を参照して、本発明の好適な実施形態について説明する。
（第１の実施形態）
第１の実施形態では、複数の動画像ファイルを複数画面で同時に再生する例を説明する。図１は、本実施形態に係る画像再生装置の構成を概略的に示すブロック図である。１００は後述する画像処理プログラムを実行する演算処理装置（ＣＰＵ）である。
【００１４】
１１０はハードディスクであり、プログラムや画像データ等のデジタルデータを記録する。ハードディスク１１０は、画像処理プログラムがＣＰＵ１００に読み取り可能なプログラムコードとして記録されており、このプログラムコードをＣＰＵ１００が実行する構成となっている。１２０は記憶部であり、プログラムコード等を記憶する。
【００１５】
１３０はネットワーク接続部であり、ネットワークを介して画像データを収集し、収集した画像データを公開する外部装置と接続する。１４０はＣＲＴディスプレイや液晶パネル等の表示部（ディスプレイ）である。１５０はオーディオ出力用のスピーカーである。１６０はキーボードやマウス等からなる操作部である。
【００１６】
１７０は外部記録媒体１８０を読み込むための記録媒体ドライブである。１８０はＣＤ-ＲＯＭやＤＶＤ等の外部記録媒体である。１９０はＰＣＩバス等のコンピュータ内部の各処理部を相互に接続するための内部バスである。
【００１７】
本実施形態では、ハードディスク１１０に画像データ、及び、プログラムが記録されている例を示している。しかし、画像データやプログラムがＣＤ-ＲＯＭやＤＶＤ等の外部記録媒体１８０に記録されており、記録媒体ドライブ１７０を介してＣＰＵ１００に実行させる形態でも良い。また同様に、ネットワーク上に画像データ、及び、プログラムが記録されており、ネットワーク接続部１３０を介してＣＰＵ１００に実行させる形態でも良い。
【００１８】
本実施形態に係る画像再生装置では、起動時に指定されたフォルダ内の動画像ファイルの縮小画像を一覧表示し、ユーザ操作によって選択された複数の動画像ファイルを、１つのスクリーン上にファイル名順に並べて複数画面で再生する。なお、起動時にフォルダを選択する構成であると述べたが、起動中にフォルダを選択するような構成であっても良い。また、起動中に、ユーザ選択によって再生画像が設定される構成としたが、起動時に再生画像が設定されているような構成であっても良い。また、複数の再生画面の表示順をファイル名順としたが、日時順に並べても良いし、ユーザの選択順や画像の再生時間順に表示した場合でも、本発明は適応される。
【００１９】
図２は、本実施形態に係る画像再生装置により実行される画像処理プログラムの手順を示すフローチャートである。ここで、本実施形態に係る画像処理プログラムは、起動時に動画像ファイルの存在するフォルダパスを引数として実行される。本実施形態では、図５〜図１０に示すユーザインタフェイス（ＵＩ）画面に遷移する場合の例を説明する。
【００２０】
まず初期画面である図５に示す画像選択画面（縮小画像一覧画面）Ｕ１００を表示し（ステップＳ１０１）、ユーザの入力を待つ。図５に示す画像処理画面Ｕ１００は、プログラム終了ボタンＵ１１０と、縮小画像Ｕ１３０が表示される画像一覧表示領域Ｕ１２０とから構成される。画像一覧表示領域Ｕ１２０は、再生対象となる動画像形式の画像一覧を表示し、ユーザ操作によって再生対象の画像を決定する領域である。
【００２１】
ステップＳ１０１の初期画面表示後に、ユーザ操作により後述する再生ボタンＵ１７０（図６を参照）がクリックされたか否かを判定する（ステップＳ１０２）。再生ボタンＵ１７０がクリックされていなければ（ステップＳ１０２でＮＯ）、画像一覧表示領域Ｕ１２０に表示中のいずれかの画像Ｕ１３０上でクリックされたか否かを判定する（ステップＳ１０３）。いずれの画像Ｕ１３０上でもクリックされていなければ（ステップＳ１０３でＮＯ）、終了ボタンＵ１１０がクリックされたか否かを判定する（ステップＳ１０４）。終了ボタンＵ１１０がクリックされた場合（ステップＳ１０４でＹＥＳ）、本画像処理プログラムを終了する。
【００２２】
画像一覧表示領域Ｕ１２０に表示中のいずれかの画像Ｕ１３０上でクリックされた場合（ステップＳ１０３でＹＥＳ）、クリックされた画像Ｕ１３０の状態を判定する（ステップＳ１０５）。クリックされた画像Ｕ１３０が選択中ではない場合（ステップＳ１０５でＮＯ）、該画像Ｕ１３０を選択状態にして（ステップＳ１０６）、再生ボタンＵ１７０を表示する（ステップＳ１０７）。クリックされた画像Ｕ１３０が選択中である場合（ステップＳ１０５でＹＥＳ）、該画像Ｕ１３０の選択状態を解除し（ステップＳ１０８）、選択状態の画像Ｕ１３０の有無を判定する（ステップＳ１０９）。選択状態の画像Ｕ１３０が存在する場合（ステップＳ１０９でＹＥＳ）、再生ボタンＵ１７０を表示する（ステップＳ１０７）。選択状態の画像Ｕ１３０が存在しない場合（ステップＳ１０９でＮＯ）、再生ボタンＵ１７０を削除する（ステップＳ１１０）。
【００２３】
図６は、図５に示す初期画面Ｕ１００においてユーザが３つの縮小画像Ｕ１３０（上列左の画像、下列左の画像、上列右から２番目の画像）上でクリックした場合の画像選択画面Ｕ１５０を示す。画像選択画面Ｕ１５０は、プログラム終了ボタンＵ１１０と、画像一覧表示領域Ｕ１２０と、再生ボタンＵ１７０とから構成される。そして、画像一覧表示領域Ｕ１２０において、選択状態の画像Ｕ１３０には枠Ｕ１６０が表示される等、非選択状態の画像Ｕ１３０とは異なる表示形態となる。
【００２４】
図６に示す画像選択画面Ｕ１５０において、再生ボタンＵ１７０がクリックされた場合（ステップＳ１０２でＹＥＳ）、図７に示すように、選択画像数分（本実施形態では３）の画像の再生画面を表示する（ステップＳ１１１）。
【００２５】
次に、再生画面内にメインコントロール表示領域（以下、単にメインコントロールとも称する）Ｕ２５０を表示する（ステップＳ１１２）。メインコントロールＵ２５０は、図７を用いて後述するが、再生ボタンＵ２５５と、停止ボタンＵ２６０と、１つの時間幅（再生幅）を表わすスライダとを有する。
【００２６】
次に、ファイル名順に格納された図６での選択状態の画像Ｕ１３０のファイル名リストを取得する（ステップＳ１１３）。画面番号を指す"WinNo"に「０」、選択された画像数を指す"ImageCount"に選択状態の画像数を代入する（ステップＳ１１４）。そして、"WinNo"と"ImageCount"とが同じ値になるまで、再生画面表示処理（ステップＳ１１５〜Ｓ１２０）を繰り返す。
【００２７】
再生画面表示処理（ステップＳ１１５〜Ｓ１２０）において、まず"WinNo"を１カウントアップする（ステップＳ１１６）。次に、ステップＳ１１３で取得した画像のファイル名リストの"WinNo"に位置する画像の再生画面を表示し（ステップＳ１１７）、画像の再生位置を制御する"WinNo"に対応する（関連付けられた）再生画面のサブコントロール表示領域（以下、単にサブコントロールとも称する）Ｕ２２０を表示する（ステップＳ１１８）。サブコントロールＵ２２０は、図７を用いて後述するが、再生ボタンＵ２３０と、停止ボタンＵ２３５と、該再生画面に対して設定された再生幅を表わすスライダとを有する。次に、ステップＳ１１２で表示したメインコントロールＵ２５０内の再生幅を示すスライダ上に、"WinNo"に対応する再生位置を示すつまみを表示する（ステップＳ１１９）。再生画面表示処理（ステップＳ１１５〜Ｓ１２０）の終了後は、再生画面操作処理に遷移する（ステップＳ１２１）。再生画面操作処理の詳細は、図３を用いて後述する。
【００２８】
本実施形態では、再生画面表示直後は、画像の再生を停止状態とし、再生開始位置は画像の先頭とする。図６に示す画像選択画面Ｕ１５０にて、再生ボタンＵ１７０がクリックされた場合、選択中の３つの画像の再生画面表示処理（ステップＳ１１５〜Ｓ１２０）を繰り返し、図７に示す再生画面Ｕ２００のＵＩ構成となる。
【００２９】
図７に示す再生画面Ｕ２００は、再生画面終了ボタンＵ２１０と、サブコントロールＵ２２０と、メインコントロール表示領域Ｕ２５０とを持つ。
【００３０】
サブコントロールＵ２２０は、画像再生領域（再生画面）Ｕ２２５と、再生ボタンＵ２３０と、停止ボタンＵ２３５と、該再生画面に対して設定された再生幅を表わす領域Ｕ２４５及び領域Ｕ２４５上で再生位置を示す操作部としてのつまみＵ２４０からなるスライダとから構成される。サブコントロールＵ２２０は、再生画面ごとに存在し、それぞれに再生位置を示すつまみＵ２７０、Ｕ２７５を持つ。これらサブコントロールＵ２２０が本発明でいう第１のユーザインタフェイスに相当するものである。
【００３１】
メインコントロールＵ２５０は、再生ボタンＵ２５５と、停止ボタンＵ２６０と、１つの再生幅を表わす領域Ｕ２６５及び領域Ｕ２６５上で再生位置を示す操作部としてのつまみＵ２８０、Ｕ２８５、Ｕ２９０からなるスライダとから構成される。つまみＵ２８０、Ｕ２８５、Ｕ２９０は各再生画面での再生位置を示すとともに相互に連動している。このメインコントロールＵ２５０が本発明でいう第２のユーザインタフェイスに相当するものである。
【００３２】
また、メインコントロールＵ２５０内に表示中のつまみＵ２８０、Ｕ２８５、Ｕ２９０と、サブコントロールＵ２２０内のつまみＵ２４０、Ｕ２７０、Ｕ２７５とで対応するものは相互に連動する。
【００３３】
本実施形態では、再生画面表示直後の再生開始位置は、画像の先頭であるため、メインコントロールＵ２５０内に表示中の複数のつまみＵ２８０、Ｕ２８５、Ｕ２９０は、先頭位置に重ねて表示される。なお、再生画面の表示時の再生位置を先頭としたが、動画像ファイルに登録されている縮小画像の位置を再生開始位置としても良い。また、再生開始位置を画像の中央としたり、ユーザが予め指定したりする方法であっても、本案件は適応される。
【００３４】
本実施形態では、図６に示す画像選択画面Ｕ１５０において３つの画像が選択された場合の例として、３画面の再生画面Ｕ２００を説明した。選択画像が２画像の場合は２つのサブコントロールをもつ２画面再生となり、また、選択画像が４画像の場合は４つのサブコントロールをもつ４画像再生となり、画像の選択数によって、再生画面の数が変動する。
【００３５】
図２のステップＳ１１３で取得した画像のファイル名リストの順番は、ファイル名順としたが、撮影日時順や、再生時間順、ユーザの選択順としても良い。また、画像の再生幅をすべてのサブコントロールにて同一幅としたが、再生幅を時間軸としても良い。
【００３６】
図３は、図２のステップＳ１２１における再生画面操作処理の手順を示すフローチャートである。図２での再生画面表示処理（ステップＳ１１５〜Ｓ１２０）の終了後、再生画面操作処理に遷移する。
【００３７】
図７の再生画面Ｕ２００の表示中に、コントロールの操作ではなく（ステップＳ２０１でＮＯ及びステップＳ２０２でＮＯ）、ユーザ操作により終了ボタンＵ２１０がクリックされた場合（ステップＳ２０３でＹＥＳ）、本画像処理プログラムを終了し、図２のステップＳ１２１を抜ける。
【００３８】
再生画面Ｕ２００の表示中に、いずれかのサブコントロールＵ２２０が操作された場合（ステップＳ２０１でＹＥＳ）、そのサブコントロールＵ２２０に対応する"WinNo"を取得する（ステップＳ２０５）。
【００３９】
サブコントロールＵ２２０の操作が、スライダ上のつまみ（Ｕ２４０、Ｕ２７０、Ｕ２７５）の移動である場合（ステップＳ２０６でＹＥＳ）、つまみの移動量を取得する（ステップＳ２１０）。つまみの移動量を基に、"WinNo"に対応する画像の再生位置を算出し（ステップＳ２１１）、"WinNo"に対応する画像の再生位置の画像を表示する（ステップＳ２１２）。次に、メインコントロールＵ２５０内のスライダ上の"WinNo"に対応するつまみ（Ｕ２８０、Ｕ２８５、Ｕ２９０）を移動する（ステップＳ２１５）。これらの処理が、本発明でいう第１の決定手段による処理例である。
【００４０】
サブコントロールＵ２２０の操作が、スライダ上のつまみの移動ではなく（ステップＳ２０６でＮＯ）、再生ボタンＵ２３０のクリックである場合（ステップＳ２０７でＹＥＳ）、ステップＳ２０５で取得した"WinNo"に対応する画像の再生を開始する（ステップＳ２１３）。"WinNo"に対応する画像の再生位置に応じて、サブコントロールＵ２２０内のつまみを移動し（ステップＳ２１４）、メインコントロールＵ２５０内のスライダ上の"WinNo"に対応するつまみを移動する（ステップＳ２１５）。
【００４１】
サブコントロールＵ２２０の操作が、再生ボタンＵ２３０のクリックではなく（ステップＳ２０７でＮＯ）、停止ボタンＵ２３５のクリックである場合（ステップＳ２０８でＹＥＳ）、ステップＳ２０５で取得した"WinNo"に対応する画像の再生を停止する（ステップＳ２０９）。
【００４２】
再生画面Ｕ２００の表示中に、メインコントロールＵ２５０が操作された場合（ステップＳ２０２でＹＥＳ）、メインコントロール操作処理に遷移する（ステップＳ２０４）。図４は、ステップＳ２０４におけるメインコントロール操作処理の手順を示すフローチャートである。
【００４３】
メインコントロールＵ２５０の操作が、スライダ上のつまみ（Ｕ２８０、Ｕ２８５、Ｕ２９０）の移動である場合（ステップＳ３０１でＹＥＳ）、つまみの移動量を取得する（ステップＳ３１６）。次に、画面番号を指す"WinNo"に「０」、画面数を指す"WinCount"に表示中の再生画面数を代入する（ステップＳ３１７）。そして、"WinNo"と"WinCount"とが同じ値になるまで、全画像再生位置の更新処理（ステップＳ３１８〜Ｓ３２４）を繰り返す。
【００４４】
全画像再生位置の更新処理（ステップＳ３１８〜Ｓ３２４）において、まず"WinNo"を１カウントアップする（ステップＳ３１９）。次に、ステップＳ３１６で取得したメインコントロールＵ２５０内でのつまみ移動量を基に、"WinNo"に対応する画像の再生位置を算出し（ステップＳ３２０）、"WinNo"に対応する画面内に再生位置に対応する画像を表示する（ステップＳ３２１）。次に、"WinNo"に対応するサブコントロールＵ２２０内のつまみの位置を移動し（ステップＳ３２２）、メインコントロールＵ２５０内の"WinNo"に対応するつまみの位置を移動する（ステップＳ３２３）。"WinNo"と"WinCount"とが同じ値になり、全画像再生位置の更新処理（ステップＳ３１８〜Ｓ３２４）の終了後は、図３のステップＳ２０４を抜ける。これらの処理が、本発明でいう第２の決定手段による処理例である。
【００４５】
メインコントロールＵ２５０の操作が、スライダ上のつまみの移動ではなく（ステップＳ３０１でＮＯ）、再生ボタンＵ２５５のクリックである場合（ステップＳ３０２でＹＥＳ）、画面番号を指す"WinNo"に「０」、画面数を指す"WinCount"に表示中の再生画面数を代入する（ステップＳ３０９）。そして、"WinNo"と"WinCount"とが同じ値になるまで、全画像再生処理（ステップＳ３１０〜Ｓ３１５）を繰り返す。
【００４６】
全画像再生処理（ステップＳ３１０〜Ｓ３１５）において、まず"WinNo"を１カウントアップする（ステップＳ３１１）。次に、"WinNo"に対応する画像を再生し（ステップＳ３１２）、再生に応じて"WinNo"に対応するサブコントロールＵ２２０内のつまみの位置を移動し（ステップＳ３１３）、メインコントロールＵ２５０内の"WinNo"に対応するつまみの位置を移動する（ステップＳ３１４）。"WinNo"と"WinCount"とが同じ値になり、全画像再生処理（ステップＳ３１０〜Ｓ３１５）の終了後は、図３のステップＳ２０４を抜ける。
【００４７】
メインコントロールＵ２５０の操作が、再生ボタンＵ２５５のクリックではなく（ステップＳ３０２でＮＯ）、停止ボタンＵ２６０のクリックである場合（ステップＳ３０３でＹＥＳ）、画面番号を指す"WinNo"に「０」、画面数を指す"WinCount"に表示中の再生画面数を代入する（ステップＳ３０４）。そして、"WinNo"と"WinCount"とが同じ値になるまで、全画像再生停止処理（ステップＳ３０５〜Ｓ３０８）を繰り返す。
【００４８】
全画像再生停止処理（ステップＳ３０５〜Ｓ３０８）において、まず"WinNo"を１カウントアップする（ステップＳ３０６）。次に、"WinNo"に対応する画像再生を停止する（ステップＳ３０７）。"WinNo"と"WinCount"とが同じ値になり、全画像再生停止処理（ステップＳ３０５〜Ｓ３０８）の終了後は、図３のステップＳ２０４を抜ける。
【００４９】
図７に示す再生画面Ｕ２００において、ユーザ操作により、メインコントロールＵ２５０内のつまみが「再生幅の３分の１」の位置に移動したときの例を説明する。図７において、メインコントロールＵ２５０内のいずれかのつまみを移動すると、残りのつまみも連動して、３つのつまみＵ２８０、Ｕ２８５、Ｕ２９０が同時に移動する。
【００５０】
ユーザ操作によりメインコントロールＵ２５０が操作された場合（ステップＳ２０２でＹＥＳ）、図４のメインコントロール操作処理を実行する。メインコントロールＵ２５０内のつまみを移動した場合（ステップＳ３０１でＹＥＳ）、つまみの移動量を取得する（ステップＳ３１６）。ここでは、取得する移動量が「再生幅の３分の１」となる。次に、画面番号を指す"WinNo"に「０」、画面数を指す"WinCount"に「３」を代入する（ステップＳ３１７）。そして、全画面再生位置更新処理（ステップＳ３１８〜Ｓ３２４）を実行する。"WinNo"を１カウントアップし（ステップＳ３１９）、ステップＳ３１６で取得した移動量「再生幅の３分の１」を基に、"WinNo"「１」に対応する画像の再生位置を計算する（ステップＳ３２０）。次に、"WinNo"「１」に対応する画像の「再生幅の３分の１」の再生位置に値する画像をサブコントロールＵ２２０内の画像再生領域Ｕ２２５に表示する（ステップＳ３２１）。次に、"WinNo"「１」に対応するサブコントロールＵ２２０内のつまみＵ２４０を「再生幅の３分の１」移動し（ステップＳ３２２）、メインコントロールＵ２５０内の"WinNo"「１」に対応するつまみＵ２８０を移動する（ステップＳ３２３）。ステップＳ３２４において、"WinNo"「１」と"WinCount"「３」となり、ステップＳ３１９の"WinNo"を１カウントアップの処理に移行する。"WinNo"が「３」になるまで、全画面再生位置更新処理（ステップＳ３１８〜Ｓ３２４）を繰り返し実行すると、画面上は、図８に示すメインコントロール操作後の再生画面Ｕ３００のＵI構成となる。図８に示すメインコントロール操作後の再生画面Ｕ３００の構成は、図７に示す再生画面Ｕ２００の構成と同様のため、説明を省力する。
【００５１】
次に、図８に示すメインコントロール操作後の再生画面Ｕ３００において、ユーザ操作により、中央のサブコントロールＵ２２０内のつまみＵ２７０が「再生幅の４分の３」の位置に移動したときの例を説明する。
【００５２】
ユーザ操作により中央のサブコントロールＵ２２０が操作された場合（ステップＳ２０１でＹＥＳ）、サブコントロールＵ２２０が対応している"WindowNo"「２」を取得する（ステップＳ２０５）。次に、つまみＵ２７０の移動量を取得し（ステップＳ２１０）、移動量から"WindowNo"「２」に対応する画像の移動位置を算出する（ステップＳ２１２）。算出した移動の位置の画像を"WindowNo"「２」に対応する画面Ｕ２２５に表示する（ステップＳ２１２）。図８のメインコントロールＵ２５０内の"WindowNo"「２」に対応するつまみＵ２８５を、「再生幅の４分の３」の位置に移動する（ステップＳ２１５）。このとき、画面上は、図９に示すサブコントロール操作後の再生画面Ｕ３５０のＵI構成となる。図９に示すサブコントロール操作後の再生画面Ｕ３５０の構成は、図７に示す再生画面Ｕ２００の構成と同様のため、説明を省力する。
【００５３】
次に、図９に示すサブコントロール操作後の再生画面Ｕ３５０において、ユーザ操作により、メインコントロールＵ２５０内のつまみＵ２８５が「再生幅の最後の位置」に移動したときの例を説明する。
【００５４】
ユーザ操作によりメインコントロールＵ２５０が操作された場合（ステップＳ２０２でＹＥＳ）、図４のメインコントロール操作処理を実行する。つまみ移動の処理（ステップＳ３０１でＹＥＳ）の場合、つまみＵ２８５の移動量を取得する（ステップＳ３１６）。ここでは、「再生幅の４分の３」から「再生幅の最後の位置」への移動のため、移動量は「再生幅の４分の１」となる。次に、画面番号を指す"WinNo"に「０」、画面数を指す"WinCount"に「３」を代入する（ステップＳ３１７）。そして、全画面再生位置更新処理（ステップＳ３１８〜Ｓ３２４）を実行する。"WinNo"を１カウントアップし（ステップＳ３１９）、ステップＳ３１６で取得した移動量「再生幅の４分の１」を基に、"WinNo"「１」に対応する画像の再生位置を計算する（ステップＳ３２０）。次に、"WinNo"「１」に対応する画像の「再生幅の３分の１」の再生位置から「再生幅の４分の１」を移動させた位置を再生位置として、サブコントロールＵ２２０内の画像再生領域Ｕ２２５に表示する（ステップＳ３２１）。次に、"WinNo"「１」に対応するサブコントロールＵ２２０内のつまみＵ２４０を「再生幅の３分の１」の再生位置から「再生幅の４分の１」移動し（ステップＳ３２２）、メインコントロールＵ２５０内の"WinNo"「１」に対応するつまみＵ２８０を移動する（ステップＳ３２３）。ステップＳ３２４において、"WinNo"「１」と"WinCount"「３」とが異なるため、ステップＳ３１９の"WinNo"を１カウントアップの処理に移行する。"WinNo"が「３」になるまで、全画面再生位置更新処理（ステップＳ３１８〜Ｓ３２４）を繰り返し実行すると、画面上は、図１０に示すメインコントロール再操作後の再生画面Ｕ４００のＵI構成となる。図１０に示すメインコントロール再操作後の再生画面Ｕ４００の構成は、図７に示す再生画面Ｕ２００の構成と同様のため、説明を省力する。
【００５５】
以上説明したように、本実施形態では、複数画像の同時再生スライダと、１画像のみの再生スライダを操作することにより、効率の良いシーン検索を実現することが可能となる。
【００５６】
本実施形態では、コントロールの構成を、再生ボタンと、停止ボタンと、再生幅を表わすスライダとしたが、他の構成であっても良い。
【００５７】
また、本実施形態では、メインコントロールＵ２５０及びサブコントロールＵ２２０を常に同時に表示するとしたが、表示／非表示を切り替え可能としても良く、コントロールＵ２２０、Ｕ２５０の表示を交互に切り替える場合でも、本案件は適応される。
【００５８】
また、本実施形態では、すべてのサブコントロールＵ２２０内の画像再生の再生幅を同一としたが、時間軸を同一としてスライダの長さが画面ごとに異なっても、本発明は適応される。
【００５９】
また、本実施形態では、メインコントロールＵ２５０、サブコントロールＵ２２０にかかわらず、再生位置が最後尾に達した場合でも、再生の対象画像は固定として繰り返し再生するが、再生画像を別の画像に変更して再生するようにしても良い。
【００６０】
（第２の実施形態）
第２の実施形態では、同一の動画像ファイルの再生位置をそれぞれ異ならしめて複数画面で分割再生する例を説明する。本実施形態に係る画像再生装置の構成は第１の実施形態（図１）と同様であり、ここではその説明を省略する。
【００６１】
本実施形態に係る画像再生装置では、起動時に指定された１つの動画像ファイルのファイルを再生中に、分割ボタンによって、２、３、４分割の分割再生を実行する。なお、起動時に動画像ファイルファイルを選択する構成であると述べたが、起動中に動画像ファイルファイルを選択するような構成であっても良い。また、１つの動画像ファイル再生中に分割再生を実行する構成としたが、複数の動画像ファイルの再生中に１つの動画像ファイルを分割再生するような構成でも良い。
【００６２】
図１１は、本実施形態に係る画像再生装置により実行される画像処理プログラムの手順を示すフローチャートである。ここで、本実施形態に係る画像処理プログラムは、起動時に動画像ファイルのファイル名を引数として実行される。本実施形態では、図１２〜図１６に示すＵＩ画面に遷移する場合の例を説明する。
【００６３】
まず初期画面である図１２に示す画像再生画面Ｕ５００を表示し（ステップＳ４０１）、ユーザの入力を待つ。図１２に示す画像再生画面Ｕ５００は、プログラム終了ボタンＵ５１０と、分割再生ボタンＵ５２０と、再生画像表示領域Ｕ５３０と、再生コントロールＵ５４０とから構成される。分割再生ボタンＵ５２０は、２分割、３分割、４分割の３つのボタンから構成される。再生コントロールＵ５４０は、再生ボタンＵ５５０と、停止ボタンＵ５６０と、再生幅を表わす領域Ｕ５８０及び領域Ｕ５８０上で再生位置を示す操作部としてのつまみＵ５７０からなるスライダとから構成される。
【００６４】
ステップＳ４０１の初期画面表示後に、ユーザ操作により分割再生ボタンＵ５２０がクリックされたか否かを判定する（ステップＳ４０２）。分割再生ボタンＵ５２０がクリックされていなければ（ステップＳ４０２でＮＯ）、再生コントロールＵ５４０が操作されたか否かを判定する（ステップＳ４０３）。再生コントロールＵ５４０が操作されていなければ（ステップＳ４０３でＮＯ）、終了ボタンＵ５１０がクリックされたか否かを判定する（ステップＳ４０４）。終了ボタンＵ５１０がクリックされた場合（ステップＳ４０４でＹＥＳ）、本画像処理プログラムを終了する。
【００６５】
再生コントロールＵ５４０が操作された場合（ステップＳ４０３でＹＥＳ）、その操作がつまみＵ５７０の移動である場合（ステップＳ４０５でＹＥＳ）、つまみＵ５７０の移動量を取得する（ステップＳ４０８）。ステップＳ４０８で取得したつまみの移動量を基に、画像の再生位置を算出し（ステップＳ４０９）、再生位置の画像を再生画像表示領域Ｕ５３０に表示し（ステップＳ４１０）、ユーザの入力を待つ。
【００６６】
再生コントロールＵ５４０の操作が、つまみＵ５７０の移動ではなく（ステップＳ４０５でＮＯ）、再生ボタンＵ５５０のクリックである場合（ステップＳ４０６でＹＥＳ）、再生画像表示領域Ｕ５３０に表示中の画像の再生を開始する（ステップＳ４１１）。再生画像表示領域Ｕ５３０の再生位置に応じて、再生コントロールＵ５４０内のつまみＵ５７０を移動する（ステップＳ４１２）。
【００６７】
再生コントロールＵ５４０の操作が、再生ボタンＵ５５０のクリックではなく（ステップＳ４０６でＮＯ）、停止ボタンＵ５６０のクリックである場合（ステップＳ４０７でＹＥＳ）、再生画像表示領域Ｕ５３０で再生中の画像を停止し（ステップＳ４１３）、ユーザ入力を待つ。
【００６８】
分割再生ボタンＵ５２０がクリックされた場合（ステップＳ４０２でＹＥＳ）、図１３に示すように、１つの画像を分割再生する分割再生画面を表示する（ステップＳ４１４）。次に、分割再生画面内にメインコントロールＵ６５０を表示する（ステップＳ４１５）。メインコントロールＵ６５０は、図１３を用いて後述するが、再生ボタンＵ６５５と、停止ボタンＵ６６０と、１つの再生幅を表わすスライダとを有する。
【００６９】
次に、再生中のファイル名を取得する（ステップＳ４１６）。画面番号を指す"WinNo"に「０」、選択された分割数を指す"DivCount"に再生画面の分割数を代入する（ステップＳ４１７）。そして、"WinNo"と"DivCount"とが同じ値になるまで、分割再生画面表示処理（ステップＳ４１８〜Ｓ４２３）を繰り返す。
【００７０】
分割再生画面表示処理（ステップＳ４１８〜Ｓ４２３）において、まず"WinNo"を１カウントアップする（ステップＳ４１９）。次に、"WinNo"に対応する再生画面を表示し（ステップＳ４２０）、画像の再生位置を制御する"WinNo"に対応する再生画面のサブコントロールＵ６２０を表示する（ステップＳ４２１）。サブコントロールＵ６２０は、図１３を用いて後述するが、再生ボタンＵ６３０と、停止ボタンＵ６３５と、該再生画面に対して設定された再生幅を表わすスライダとを有する。次に、ステップＳ４１５で表示したメインコントロールＵ６５０内の再生幅を示すスライダ上に、"WinNo"に対応する再生位置を示すつまみを表示する（ステップＳ４２２）。分割再生画面表示処理（ステップＳ４１８〜Ｓ４２３）の終了後は、再生画面操作処理に遷移する（ステップＳ４２４）。再生画面操作処理の詳細は、第１の実施形態（図３、４）で説明したので、ここではその説明を省略する。
【００７１】
本実施形態では、分割再生画面表示直後は、画像の再生を停止状態とし、再生開始位置は画像の先頭とする。図１２に示す画像再生画面Ｕ５００にて、例えば、分割再生ボタンＵ５２０の３分割ボタンがクリックされた場合、１画像を３つの画面への表示処理（ステップＳ４１８〜Ｓ４２３）を繰り返し、図１３に示す分割再生画面Ｕ６００のＵI構成となる。
【００７２】
図１３に示す分割再生画面Ｕ６００は、第１の実施形態の図７に示す再生画面Ｕ２００と同様に、分割再生画面終了ボタンＵ６１０と、サブコントロールＵ６２０と、メインコントロールＵ６５０とを持つ。
【００７３】
サブコントロールＵ６２０は、画像再生領域（再生画面）Ｕ６２５と、再生ボタンＵ６３０と、停止ボタンＵ６３５と、該再生画面に対して設定された再生幅をあらわす領域Ｕ６４５及び領域Ｕ６４５上で再生位置を示す操作部としてのつまみＵ６４０からなるスライダととから構成される。サブコントロールＵ６２０は、再生画面ごとに存在し、それぞれに再生位置を示すつまみＵ６７０、Ｕ６７５を持つ。これらサブコントロールＵ６２０が本発明でいう第１のユーザインタフェイスに相当するものである。
【００７４】
メインコントロールＵ６５０は、再生ボタンＵ６５５と、停止ボタンＵ６６０と、1つの再生幅を表わす領域Ｕ６６５及び領域Ｕ５上で再生位置を示す操作部としてのつまみＵ６８０、Ｕ６８５、Ｕ６９０からなるスライダとから構成される。つまみＵ６８０、Ｕ６８５、Ｕ６９０は各再生画面での再生位置を示すとともに相互に連動している。このメインコントロールＵ６５０が本発明でいう第２のユーザインタフェイスに相当するものである。
【００７５】
また、メインコントロールＵ６５０内に表示中のつまみＵ６８０、Ｕ６８５、Ｕ６９０と、サブコントロールＵ６２０内のつまみＵ６４０、Ｕ６７５、Ｕ６７５とで対応するものは相互に連動する。
【００７６】
本実施形態では、分割再生画面表示直後の再生開始位置は、画像の先頭であるため、メインコントロールＵ６５０内に表示中の複数のつまみＵ６８０、Ｕ６８５、Ｕ６９０は、先頭位置に重ねて表示される。なお、再生画面の表示時の再生位置を先頭としたが、再生時間を分割画面数で等分した位置を再生開始位置としても良い。また、シーンチェンジの位置を再生開始位置としたり、ユーザが予め指定した位置を再生開始位置としたりする方法であっても、本案件は適応される。
【００７７】
本実施形態では、３分割再生が選択された場合の例として、３画面の再生画面を表示している。選択されたボタンが２分割再生の場合は２つのサブコントロールを持つ２画面再生となり、４分割再生の場合は４つのサブコントロールを持つ４画像再生となり、選択された画面の分割数によって、再生画面の数が変動する。また、本実施形態では、画面の表示数をボタン操作にて２、３、４分割と決定する仕様としたが、ユーザに設定させるような構成でも良い。
【００７８】
図１３に示す分割再生画面Ｕ６００において、ユーザ操作により、中央のサブコントロールＵ６２０内のつまみＵ６７０が、「再生幅の３分の１」の位置に移動したときの例を説明する。
【００７９】
ユーザ操作により中央のサブコントロールＵ６２０が操作された場合（ステップＳ２０１でＹＥＳ）、サブコントロールＵ６２０が対応している"WindowNo"「２」を取得する（ステップＳ２０５）。次に、つまみＵ６７０の移動量を取得し（ステップＳ２１０）、移動量から"WindowNo"「２」に対応する画像の移動位置を算出する（ステップＳ２１２）。算出した移動の位置の画像を"WindowNo"「２」に対応する画面Ｕ６２５に表示する（ステップＳ２１２）。図１３のメインコントロールＵ６５０内の"WindowNo"「２」に対応するつまみＵ６８５を、「再生幅の３分の１」の位置に移動する（ステップＳ２１５）。このとき、画面上は、図１４に示すサブコントロール操作後の分割再生画面Ｕ７００のＵI構成となる。図１４に示すサブコントロール操作後の分割再生画面Ｕ７００の構成は、図１３に示す分割再生画面Ｕ６００の構成と同様のため、説明を省力する。
【００８０】
次に、図１４に示すサブコントロール操作後の分割再生画面Ｕ７００において、ユーザ操作により、右端のサブコントロールＵ６２０内のつまみＵ６７５が、「再生幅の３分の２」の位置に移動したときの例を説明する。
【００８１】
ユーザ操作により右端のサブコントロールＵ６２０が操作された場合（ステップＳ２０１でＹＥＳ）、サブコントロールＵ６２０が対応している"WindowNo"「３」を取得する（ステップＳ２０５）。次に、つまみＵ６７５の移動量を取得し（ステップＳ２１０）、移動量から"WindowNo"「３」に対応する画像の移動位置を算出する（ステップＳ２１２）。算出した移動の位置の画像を"WindowNo"「３」に対応する画面Ｕ６２５に表示する（ステップＳ２１２）。図１４のメインコントロールＵ６５０内の"WindowNo"「３」に対応するつまみＵ６９０を、「再生幅の３分の２」の位置に移動する（ステップＳ２１５）。このとき、画面上は、図１５に示すサブコントロール操作後の分割再生画面Ｕ７５０のＵI構成となる。図１５に示すサブコントロール操作後の分割再生画面Ｕ７５０の構成は、図１３に示す分割再生画面Ｕ６００の構成と同様のため、説明を省力する。
【００８２】
次に、図１５に示すサブコントロール再操作後の分割再生画面Ｕ７５０において、ユーザ操作により、メインコントロールＵ６５０内のつまみＵ６８５が「再生幅の最後の位置」に移動したときの例を説明する。
【００８３】
ユーザ操作によりメインコントロールＵ６５０が操作された場合（ステップＳ２０２でＹＥＳ）、図４のメインコントロール操作処理を実行する。つまみ移動の処理（ステップＳ３０１でＹＥＳ）の場合、つまみＵ６８５の移動量を取得する（ステップＳ３１６）。ここでは、「再生幅の３分の２」から「再生幅の最後の位置」への移動のため、移動量は「再生幅の３分の１」となる。次に、画面番号を指す"WinNo"に「０」、画面数を指す"WinCount"に「３」を代入する（ステップＳ３１７）。そして、全画面再生位置更新処理（ステップＳ３１８〜Ｓ３２４）を実行する。"WinNo"を１カウントアップし（ステップＳ３１９）、ステップＳ３１６で取得した移動量「再生幅の３分の１」を基に、"WinNo"「１」に対応する画像の再生位置を計算する（ステップＳ３２０）。次に、"WinNo"「１」に対応する画像の先頭の位置から「再生幅の３分の１」を移動させた位置を再生位置として、サブコントロールＵ６２０内の画像再生領域Ｕ６２５に表示する（ステップＳ３２１）。次に、"WinNo"「１」に対応するサブコントロールＵ６２０内のつまみＵ６４０を先頭の位置から「再生幅の３分の１」移動し（ステップＳ３２２）、メインコントロールＵ６５０内の"WinNo"「１」に対応するつまみＵ６８０を移動する（ステップＳ３２３）。ステップＳ３２４において"WinNo"「１」と"WinCount"「３」とが異なるため、ステップＳ３１９の"WinNo"を１カウントアップの処理に移行する。"WinNo"が「３」になるまで、全画面再生位置更新処理（ステップＳ３１８〜Ｓ３２４）を繰り返し実行すると、画面上は、図１６に示すメインコントロール操作後の分割再生画面Ｕ８００のＵI構成となる。図１６に示すメインコントロール操作後の分割再生画面Ｕ８００の構成は、図１３に示す分割再生画面Ｕ６００の構成と同様のため、説明を省力する。
【００８４】
以上説明したように、本実施形態では、複数画面の同時再生スライダと、１画面のみの再生スライダを操作することにより、効率の良いシーン検索を実現することが可能となる。
【００８５】
本実施形態でも、コントロールの構成を、再生ボタンと、停止ボタンと、再生幅を表わすスライダとしたが、他の構成であっても良い。
【００８６】
また、本実施形態では、同一の動画像ファイルの再生位置をそれぞれ異ならしめて複数画面で分割再生するときに、分割後の再生開始位置を該１つの動画像ファイルの先頭と統一したが、画像の全体時間を分割画面数で等分割した時間（位置）を開始位置としても良い。また、シーン切り替え位置や、ユーザが設定した位置を開始位置としても、本案件は適応される。
【００８７】
また、本実施形態では、分割された各再生画面（画像再生領域Ｕ６２５）での再生位置を１つの動画像ファイル全体の任意の位置に移動可能としたが、一の再生画面での再生位置が他の再生画面での再生位置を越えないように制御しても良い。また、画像の全体時間で分割した場合に、各再生画面での再生位置が分割幅（分割された時間幅）を超えないように制御した場合でも、本案件は適応される。
【００８８】
なお、本発明の目的は、以下の処理を実行することによって達成される。即ち、上述した実施の形態の機能を実現するプログラムコードを記録した記憶媒体を、システム或いは装置に供給し、そのシステム或いは装置のコンピュータ（又はＣＰＵやＭＰＵ等）が記憶媒体に格納されたプログラムコードを読み出す処理である。
【００８９】
この場合、記憶媒体から読み出されたプログラムコード自体が前述した実施の形態の機能を実現することになり、そのプログラムコード及び該プログラムコードを記憶した記憶媒体は本発明を構成することになる。
【００９０】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。又は、プログラムコードをネットワークを介してダウンロードしても良い。
【００９１】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００９２】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行う場合である。
【符号の説明】
【００９３】
１００：演算処理装置（ＣＰＵ）、１１０：ハードディスク、１２０：記憶部、１３０：ネットワーク接続部、１４０：表示部、１５０：スピーカー、１６０：操作部、１７０：記録媒体ドライブ、１８０：外部記録媒体、１９０：内部バス
【図１】
2010213125.tif 000003
【図２】
2010213125.tif 000004
【図３】
2010213125.tif 000005
【図４】
2010213125.tif 000006
【図５】
2010213125.tif 000007
【図６】
2010213125.tif 000008
【図７】
2010213125.tif 000009
【図８】
2010213125.tif 000010
【図９】
2010213125.tif 000011
【図１０】
2010213125.tif 000012
【図１１】
2010213125.tif 000013
【図１２】
2010213125.tif 000014
【図１３】
2010213125.tif 000015
【図１４】
2010213125.tif 000016
【図１５】
2010213125.tif 000017
【図１６】
2010213125.tif 000018